(57)【要約】【課題】送風機からの振動伝播によって発生する騒音を低減することのできる空気調和機の室外機を得る。【解決手段】空気調和機の室外機は、筐体と、該筐体に備えられた室外熱交換器と、電動機６１とこの電動機の回転軸６３に取り付けられたプロペラファン６２とを有する送風機６と、前記筐体または前記室外熱交換器に取り付けられると共に前記送風機を支持する支持部材７とを備えている。また、前記プロペラファンを取り付けている回転軸は略水平に配置されている。前記送風機の電動機には引掛け部６５を有する取付部６４を一体に設けると共に、前記支持部材には前記引掛け部を係合させるための係合部７１を設け、前記引掛け部を前記支持部材の係合部に引掛けて懸架させることにより、前記送風機を前記支持部材に取り付けている。【選択図】図１
2012013390.tif 000002
【特許請求の範囲】
【請求項１】
筐体と、該筐体に備えられた室外熱交換器と、電動機とこの電動機の回転軸に取り付けられたプロペラファンとを有する送風機と、前記筐体または前記室外熱交換器に取り付けられると共に前記送風機を支持する支持部材とを備え、前記プロペラファンを取り付けている回転軸は略水平に配置されている空気調和機の室外機において、
前記送風機の電動機には引掛け部を有する取付部を一体に設けると共に、前記支持部材には前記引掛け部を係合させるための係合部を設け、前記引掛け部を前記支持部材の係合部に引掛けて懸架させることにより、前記送風機を前記支持部材に取り付けていることを特徴とする空気調和機の室外機。
【請求項２】
請求項１に記載の空気調和機の室外機において、前記引掛け部に爪部を設け、この爪部を前記支持部材の係合部に係合させることで、送風機が前記係合部から外れるのを防止する構成としたことを特徴とする空気調和機の室外機。
【請求項３】
請求項２に記載の空気調和機の室外機において、支持部材に設けた前記係合部は、前記支持部材に取り付けられたＵ字形の部材で構成されると共に、このＵ字形の部材には前記引掛け部に設けた前記爪部を係合させるための穴部または凹部を設け、前記引掛け部の爪部を前記Ｕ字形の部材で構成された係合部に上方から挿入することで前記送風機を前記係合部に懸架させると共に、前記爪部を前記穴部または凹部と係合させて送風機が前記係合部から外れるのを防止するようにしたことを特徴とする空気調和機の室外機。
【請求項４】
請求項１〜３の何れかに記載の空気調和機の室外機において、送風機の電動機に設けた前記引掛け部と、前記支持部材の係合部との間に、ゴム材料等の防振部材を介在させて前記引掛け部を前記係合部に懸架させていることを特徴とする空気調和機の室外機。
【請求項５】
請求項１または２に記載の空気調和機の室外機において、前記支持部材の係合部は水平方向に設けられた略楕円形状の棒状部材により構成され、この棒状部材に前記引掛け部を引掛けて懸架させることにより、前記送風機を前記支持部材に取り付けていることを特徴とする空気調和機の室外機。
【請求項６】
請求項１〜５の何れかに記載の空気調和機の室外機において、前記電動機に一体に設けた前記取付部の上部には前記引掛け部が設けられ、前記取付部の下部はゴム材料等の防振部材を介して締結部材により前記支持部材側に取り付けられていることを特徴とする空気調和機の室外機。
【発明の詳細な説明】
【技術分野】
【０００１】
本発明は、送風機を有する空気調和機の室外機に関し、特に送風機のファンを取り付けている回転軸が地面に対し略平行に構成されている空気調和機の室外機に関する。
【背景技術】
【０００２】
送風機のファンを取り付けている回転軸が地面に対し略平行に構成されている空気調和機の室外機において、前記送風機からの振動伝播によって発生する騒音を低減するため、従来から種々の騒音低減手段が用いられている。例えば、特許文献１に記載されている風機においては、送風機のファンを取り付けている回転軸とファンとの結合部に振動吸収部材を設け、電動機が発生する回転方向の振動を吸収して防振効果が得られるようにしている。
【先行技術文献】
【特許文献】
【０００３】
【特許文献１】特開平１０−１５９７９２号公報
【発明の概要】
【発明が解決しようとする課題】
【０００４】
上記特許文献１に記載のものでは、防振ゴムなどの振動吸収部材を、送風機のファンボス部と動力伝達部である電動機の回転軸との間に設けているため、強度的な信頼性の確保が難しく、更に部品点数が増えることから組立てが難しくなるという課題がある。
【０００５】
また、ファンを取り付けている回転軸が水平に配置されているものにおいて、弾性の大きな材料で構成された振動吸収部材を回転軸部に設けているため、前記ファンの重量により振動吸収部材の変形が生じ、この変形が生じたままファンが回転することで偏心運動が増幅され、振動、騒音が発生するという課題もある。
【０００６】
近年、省資源、省スペース化のニーズに合わせて、空気調和機の室内機に設けられている送風機の個数も低減する傾向にあるため、送風機を高速回転させて送風機一個あたりの送風力を大きくする必要がある。しかし、送風機を高速回転すると遠心力が大きくなることから、上記電動機回転軸に振動吸収部材を配した構造での振動吸収は、上記の通り変形が大きくなり易く、強度信頼性に対する余裕がなくなってしまう。特に、ファンを取り付けている回転軸が水平に配置されている送風機の場合、ファン重量の影響によって偏心が発生することから、振動低減のための更に有効な手段が必要であった。
【０００７】
本発明の目的は、送風機からの振動伝播によって発生する騒音を低減することのできる空気調和機の室外機を得ることにある。
【課題を解決するための手段】
【０００８】
上記目的を達成するために、本発明は、筐体と、該筐体に備えられた室外熱交換器と、電動機とこの電動機の回転軸に取り付けられたプロペラファンとを有する送風機と、前記筐体または前記室外熱交換器に取り付けられると共に前記送風機を支持する支持部材とを備え、前記プロペラファンを取り付けている回転軸は略水平に配置されている空気調和機の室外機において、前記送風機の電動機には引掛け部を有する取付部を一体に設けると共に、前記支持部材には前記引掛け部を係合させるための係合部を設け、前記引掛け部を前記支持部材の係合部に引掛けて懸架させることにより、前記送風機を前記支持部材に取り付けていることを特徴とする。
【発明の効果】
【０００９】
本発明によれば、送風機からの振動伝播によって発生する騒音を低減することのできる空気調和機の室外機を得ることができる。
【図面の簡単な説明】
【００１０】
【図１】本発明の空気調和機の室外機の実施例１を示す図で、送風機及びその支持部材の部分のみを示す側面図。
【図２】図１におけるＡ部を拡大して示す要部断面図。
【図３】本発明の空気調和機の室外機の実施例２を示す図で、送風機及びその支持部材の部分のみを示す側面図。
【図４】図３におけるＢ部を拡大して示す要部断面図。
【図５】本発明の空気調和機の室外機の実施例３を示す図で、送風機及びその支持部材の部分のみを示す側面図。
【図６】本発明が適用される空気調和機の室外機の例を示す全体概略構成図で、前面パネルや上面パネルなどを取り外して送風機の配置状態を説明する斜視図。
【発明を実施するための形態】
【００１１】
以下、本発明の実施例を、図面に基づき説明する。  
まず、図６に基づき、本発明が適用される空気調和機の室外機の例を説明する。図６は室外機の全体概略構成図で、前面パネルや上面パネルなどを取り外して送風機の配置状態がわかるようにした斜視図である。図６において、１は空気調和機の室外機で、この室外機１は、底板１２、前面パネル２、上面パネル３、側面パネル４などで構成される筐体と、熱交換器５を備え、内部には送風機６が支持部材７に取り付けられている。前記支持部材７はこの実施例では前記熱交換器５に固定されているが、前記筐体に取り付けるようにしても良い。８は前記前面パネル２に設けられた吹出グリルである。なお、図示はしていないが、室外機１の内部には圧縮機などの冷凍サイクルを構成するための機器も一般には備えられている。  
本発明は、前記送風機６を前記支持部材７に取り付ける取り付け構造に特徴があり、以下その具体的実施例を説明する。
【実施例１】
【００１２】
図１は、本発明の空気調和機の室外機の実施例１を示す図で、送風機及びその支持部材の部分のみを示す側面図、図２は図１におけるＡ部を拡大して示す要部断面図である。
【００１３】
図１において、送風機６は、電動機６１とこの電動機６１により駆動されるプロペラファン６２などにより構成され、前記プロペラファン６２は前記電動機６１の回転軸６３に取り付けられている。７は前記送風機６を取り付けるための支持部材で、この支持部材７は、本実施例では図６に示すように熱交換器５に取り付けられている。
【００１４】
前記送風機６を構成する電動機６１には取付部６４が該電動機６１に一体に設けられており、この取付部６４が前記支持部材７に設けた係合部７１に懸架させて取り付けられている。即ち、前記係合部７１はＵ字形の部材で構成されており、また前記取付部６４の上部には略Ｌ字状或いは略Ｕ字状の引掛け部６５が設けられていて、この引掛け部６５を、図１の破線円内の図に示すように、支持部材７に設けた前記Ｕ字形部材の係合部７１に上方から引掛けることにより、図２に示すように、送風機６を支持部材７に懸架させている。
【００１５】
前記引掛け部６５には爪部６６が設けられ、一方前記Ｕ字形部材の係合部７１には穴部７２が形成され、前記引掛け部６５の爪部６６を上方から挿入して前記穴部７２に係合させることで、図２に示すように、送風機６を支持部材７に懸架させると共に、送風機６が係合部７１から外れるのも防止している。なお、前記穴部７２の代わりに、前記爪部６６と係合できるような凹部としても良い。
【００１６】
前記電動機６１の取付部６４の下部は、ボルト（締結部材）９によりゴムなどの防振部材１０を介して前記係合部７１に取り付けられている。また、前記引掛け部６５は１個に限らず、２個以上設けるようにしても良い。
【００１７】
本実施例によれば、前述したように送風機６を支持部材７に懸架させる構成としているので、以下の効果が得られる。  
（１）懸架部（引掛け部６５）における軸周りの剛性を小さくすることができ、振動発生源であるプロペラファン６２や電動機６１からの振動が支持部材７側に伝播するのを低減でき、送風機からの振動伝播によって発生する騒音を低減することができる。従って、プロペラファン６２を取り付けている回転軸６３が水平に構成されているため、送風機の重量によりプロペラファン６２が偏心して振動が発生した場合や、送風機の高速回転化により遠心力が大きくなって送風機の振動が増えた場合でも、その振動が支持部材７側に伝播して、支持部材７やこれを取り付けている熱交換器或いは筐体が振動するのを最小限にでき、これにより騒音低減を図ることができる。
（２）プロペラファンを取り付けている電動機1の回転軸６３は略水平に構成されているが、プロペラファン２の重量Ｗが電動機の取付部６４に作用しても、送風機６のプロペラファン６２の偏心量は取付部６４の下部に設けた防振部材１０の変形分だけとなるから、プロペラファン６２の偏心量を最小限に抑えることができ、プロペラファン６２が偏心することによる振動を低減できる。
（３）電動機の前記引掛け部６５を前記支持部材７に懸架させることで、送風機を前記支持部材７に取り付けることができるから、組立て時や整備時における送風機の取り付け作業を容易に行うことができる。
（４）前記電動機の取付部６４下部は、ゴム材料等の防振部材１０を介して支持部材７側に取り付けられているので、この取付部６４下部の結合部から支持部材７側へ伝わる振動も低減できる。従って、電動機６１の取付部６４下部から伝播する振動も抑制して、騒音低減を図ることができる。
【実施例２】
【００１８】
本発明の実施例２を図３及び図４により説明する。図３は図１に相当する図、図４は図３のＢ部を拡大して示す要部断面図である。これらの図において、図１、図２及び図６と同一符号を付した部分は同一または相当する部分を示している。
【００１９】
この実施例においては、支持部材７の係合部７１は支持部材７の幅方向（水平方向）に取り付けられた棒状部材７１ａにより構成されており、この棒状部材７１ａに、送風機６側の取付部６４が懸架されて取り付けられている。即ち、前記取付部６４の上部の引掛け部６５を、図３の破線円内の図に示すように、支持部材７に設けた前記棒状部材７１ａに上から引掛け、図４に示すように引掛け部６５の爪部６６を前記棒状部材７１ａに係合させることにより、送風機６を支持部材７に懸架させるように構成し、送風機６が係合部７１から外れるのも防止している。
【００２０】
なお、図４において、７３は、電動機６１の取付部６４に設けた引掛け部６５を、支持部材７内に挿入して前記棒状部材７１ａと係合させることができるようにするために、前記支持部材７に設けられた穴である。また、７４は前記支持部材７に設けられた固定具で、前記取付部６４の下部はゴムなどの防振部材１０を介して前記固定具７４にボルト９により取り付けられている。なお、この実施例２においても、前記実施例１と同様に、前記引掛け部６５は一個に限らず、２個以上設けるようにしても良い。
【００２１】
前記引掛け部６５と係合する前記支持部材７の棒状部材７１ａの断面形状は略楕円形状或いは円形状に構成されており、これにより係合部７１の回転方向（棒状部材７１ａの周方向）に対しすべり支持となるようにして、送風機６側から支持部材７側への振動伝播を効果的に低減するようにしている。
【００２２】
また、送風機６による生じる空気流れ中に支持部材７の前記棒状部材が設置される場合、前記棒状部材７１ａの断面形状を略楕円形状とした場合には、空気流れに対して棒状部材が抵抗になるのを低減でき、空気流れをより円滑化できるから、振動騒音を更に低減できる効果が得られる。  
なお、本実施例においては、引掛け部６５の爪部６６は棒状部材７１ａの断面形状に合わせて係合されるように構成することが望ましい。
【実施例３】
【００２３】
本発明の実施例３を図５により説明する。図５は図１に相当する図で、図５において図１と同一符号を付した部分は同一または相当する部分を示している。  
この実施例３は、前述した実施例１に対し、前記電動機６１と一体の取付部６４の引掛け部６５と、前記支持部材７に設けられた係合部７１との間に、ゴム材料等の防振部材１１を介在させて、前記引掛け部６５の爪部６６を、前記係合部７１の穴部７２と係合させることにより、前記送風機６を前記支持部材７に懸架させるように構成したものである。
【００２４】
図５に示す実施例３において、他の構成は図１、図２に示した実施例１と同様の構成となっている。
【００２５】
本実施例においても前述した実施例１と同様の効果が得られると共に、前記防振部材１１を設けたことにより、送風機側からの振動が、前記支持部材側に伝播するのを更に効果的に抑制でき、送風機からの振動伝播によって発生する騒音の低減効果を更に向上できる。
【符号の説明】
【００２６】
１  室外機
２  前面パネル
３  上面パネル
４  側面パネル
５  熱交換器
６  プロペラファン（６１：電動機、６２：プロペラファン、６３：回転軸、６４：取付部、６５：引掛け部、６６：爪部）
７  支持部材（７１：係合部、７１ａ：棒状部材、７２：穴部、７３：穴、７４：固定具）
８  吹出グリル
９  ボルト（締結部材）
１０，１１  防振部材
１２  底板
Ｗ  プロペラファンの重量。
【図１】
2012013390.tif 000003
【図２】
2012013390.tif 000004
【図３】
2012013390.tif 000005
【図４】
2012013390.tif 000006
【図５】
2012013390.tif 000007
【図６】
2012013390.tif 000008